【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
包装容器（１７）に対して飲用ストロー（３）を取り付けるための装置（１００）を動作させる方法であって、前記方法は、
取り付けデバイス（１６）と駆動手段（１）を通過して、第１のコンベア（２３）で包装容器（１７）を搬送するステップと、
ストロー取り付けサイクルを前記取り付けデバイス（１６）及び前記駆動手段（１）の同期的な動作によって実施するステップであって、
前記駆動手段（１）を回転させることによって保護外被内に包まれた飲用ストロー（３）の連続ベルト（２）を輸送するステップと、
分離デバイス（８）によって前記連続ベルト（２）から前記外被を備えた飲用ストロー（３）を分離させるステップと、
前記包装容器が前記取り付けデバイス（１６）を通過するとき、前記取り付けデバイス（１６）によって前記包装容器（１７）の壁に対して、外被を備えた分離された飲用ストロー（３）を取り付けるステップと、を備えた、ストロー取り付けサイクルを実施するステップと、
駆動ユニットによって、前記駆動手段（１）と、前記分離デバイス（８）と、前記取り付けデバイス（１６）と、を同期的に駆動するステップと、
前記取り付けデバイス（１６）の上流側のピッチ制御デバイス（２５）によって、前記取り付けデバイス（１６）へと前記第１のコンベア（２３）によって搬送される前記包装容器（１７）間のピッチ（Ｐ）を、このピッチが、後続の包装容器間で実質的に等しくかつ前記装置（１００）の動作範囲の包装サイズを伴う全ての包装サイズに関して等しくなるように調整するステップと、
を備え、前記ピッチ（Ｐ）は、二つの後続する包装容器（１７）における類似ポイント間の距離である、方法。
【請求項２】
前記方法は、動作中、最小限度の速度変動しか伴わずに前記駆動ユニットを駆動するステップを備える、請求項１に記載の方法。
【請求項３】
前記方法は、動作中、実質的に一定の速度で連続的に前記駆動ユニットを駆動するステップを備える、請求項１または請求項２に記載の方法。
【請求項４】
前記方法は、前記ピッチ制御デバイス（２５）に含まれるベルトブレーキ（２６）によって前記包装容器（１７）を減速すると共にその列を形成するステップを備え、前記ベルトブレーキ（２６）は、前記第１のコンベア（２３）による前記包装容器の輸送中に、前記包装容器が前記第１のコンベア（２３）の包装容器コンベア表面に当接してスライドするように前記包装容器に作用するよう構成された少なくとも一つのベルトを備える、請求項１ないし請求項３のいずれか１項に記載の方法。
【請求項５】
前記方法は、前記ピッチ制御デバイス（２５）に第２のコンベア（２７）を提供することによって前記ピッチ（Ｐ）を生み出すステップであって、前記第２のコンベア（２７）は、前記包装容器が前記ベルトブレーキ（２６）の下流の出口端部に到達すると前記包装容器（１７）と接触状態となるよう構成された包装容器コンベア表面を有するステップと、前記第１および第２のコンベア（２３，２７）のコンベア表面を同じ速度で移動させるステップであって、前記速度は前記ベルトブレーキ（２６）の前記ベルトの速度よりも高いステップと、を備える、請求項４に記載の方法。
【請求項６】
前記方法は、前記駆動ユニットに含まれる第１のサーボモーターによって、前記駆動手段（１）および前記分離デバイス（７）を駆動すると共に、前記駆動ユニットに含まれる第２のサーボモーターによって前記取り付けデバイス（１６）を駆動するステップを備える、請求項４または請求項５に記載の方法。
【請求項７】
包装容器（１７）に対して飲用ストロー（３）を取り付けるための装置（１００）であって、
保護外被に包まれた飲用ストロー（３）の連続ベルト（２）を搬送するよう構成された駆動手段（１）と、
前記ベルト（２）から外被を備えた飲用ストロー（３）を分離するよう構成された分離デバイス（８）と、
前記包装容器（１７）の壁に対して、外被を備えた分離された飲用ストロー（３）を取り付けるよう構成された取り付けデバイス（１６）と、
少なくともストロー取り付けサイクル中、前記駆動手段（１）と前記分離デバイス（８）と前記取り付けデバイス（１６）とを同期的に駆動するための駆動ユニットと、
前記取り付けデバイス（１６）を通過して包装容器（１７）を輸送するよう構成された第１のコンベア（２３）と、
前記取り付けデバイス（１６）の上流に配置され、後続の包装容器間で実質的に等しくかつ前記装置（１００）の動作範囲の包装サイズを伴う全ての包装サイズに関してピッチ（Ｐ）が等しくなるように調整するピッチ制御デバイス（２５）と、を備え、
前記ピッチ（Ｐ）は、二つの後続する包装容器（１７）における類似ポイント間の距離である、装置（１００）。
【請求項８】
前記ピッチ制御デバイス（２５）はベルトブレーキ（２６）を備え、このベルトブレーキ（２６）は、前記第１のコンベア（２３）での前記包装容器の輸送中、前記包装容器（１７）に作用するよう構成された少なくとも一つのベルトを備え、かつ、前記ベルトブレーキ（２６）は、前記包装容器（１７）の輸送を減速させ、これによって前記第１のコンベア（２３）の包装容器コンベア表面に対して前記包装容器をスライドさせるよう構成される、請求項７に記載の装置（１００）。
【請求項９】
前記ピッチ制御デバイス（２５）は第２のコンベア（２７）を備え、前記第２のコンベア（２７）の包装容器コンベア表面は、前記包装容器（１７）が前記ベルトブレーキ（２６）の下流の出口端部に到達すると前記包装容器（１７）と接触状態となるよう構成されており、かつ、前記第１および第２のコンベア（２３，２７）のコンベア表面は同じ速度で移動するよう構成され、かつ、前記ベルトブレーキ（２６）の前記ベルトは、より低い速度で移動し、これによって二つの後続の包装容器間にピッチ（Ｐ）を生じるよう構成される、請求項８に記載の装置（１００）。
【請求項１０】
前記ベルトブレーキ（２６）の前記ベルトおよび前記第１のコンベア（２３）の前記包装容器コンベア表面は、その一部の間、輸送方向に沿って互いに平行に延在する、請求項８または請求項９に記載の装置（１００）。
【請求項１１】
前記ベルトブレーキ（２６）は、前記第１のコンベア（２３）で輸送される包装容器（１７）を受け取り、前記包装容器（１７）の列を形成するよう構成されており、前記列は、前記ベルトブレーキ（２６）の出口端部に向かって、前記ベルトによって移動させられる、請求項８ないし請求項１０のいずれか１項に記載の装置（１００）。
【請求項１２】
前記ベルトブレーキ（２６）の前記ベルトの速度に対する前記第１および第２のコンベア（２３，２７）の前記包装容器コンベア表面の速度は、後続の包装容器（１７）間のピッチ（Ｐ）を生み出し、かつ、前記ピッチ（Ｐ）は設定値に固定される、請求項９ないし請求項１１のいずれか１項に記載の装置（１００）。
【請求項１３】
前記駆動手段（１）は回転のために適合され、前記分離デバイス（８）は前記駆動手段（１）の回転の部分的距離に付随するよう構成され、前記取り付けデバイス（１６）は、取り付けサイクル中に、前記第１のコンベア（２３）の移動の部分的距離に付随するよう構成される、請求項７ないし請求項１２のいずれか１項に記載の装置（１００）。
【請求項１４】
前記装置は、前記ベルトブレーキ（２６）の下流に配置された検出デバイス（２８）を備え、前記検出デバイス（２８）は前記第１のコンベア（２３）によって輸送される包装容器（１７）を検出するよう構成され、かつ、前記装置（１００）の動作中、前記駆動ユニットの動作は、取り付けサイクルが前記包装容器（１７）の位置に関して正確に時間調整されるように包装容器の検出に基づいて調整される、請求項８ないし請求項１３のいずれか１項に記載の装置（１００）。
【請求項１５】
前記駆動ユニットは第１のサーボモーターを備え、この第１のサーボモーターは、前記駆動手段（１）および前記分離デバイス（８）を駆動するよう構成され、かつ、前記駆動ユニットは第２のサーボモーターを備え、この第２のサーボモーターは、前記取り付けデバイス（１６）を駆動するよう構成されている、請求項７ないし請求項１４のいずれか１項に記載の装置（１００）。